(57)【要約】【課題】ノズル内の液体を効率良く攪拌して、低温・低湿環境下でもデキャップ特性の改善効果が高く、メニスカスの微振動直後でも液滴を安定に吐出できる、高速且つ安定吐出を可能とする液滴吐出装置及び液滴吐出ヘッドの駆動方法を提供すること。【解決手段】複数の駆動パルスを含んでなる駆動信号を生成する駆動信号生成手段と、各画素のデータに応じて駆動パルスを選択する駆動パルス選択手段と、選択された駆動パルスに基づいてチャネルの容積を変化させることにより前記チャネルに対応して設けられたノズルから液滴を吐出させるヘッドとを有し、前記駆動信号が、前記ノズル内のメニスカスをノズルから液滴を吐出させない程度に微振動させるための駆動パルスとして、矩形波からなる微振動パルスであって、パルス幅が（２ｎ）ＡＬ（ＡＬはチャネルの音響的共振周期の１／２、ｎは１以上の整数）の矩形波を少なくとも１つ含む微振動パルスを含むこと。【選択図】    図７
2004262237.tif 000002
【特許請求の範囲】
【請求項１】
複数の駆動パルスを含んでなる駆動信号を生成する駆動信号生成手段と、
各画素のデータに応じて駆動パルスを選択する駆動パルス選択手段と、
選択された駆動パルスに基づいてチャネルの容積を変化させることにより前記チャネルに対応して設けられたノズルから液滴を吐出させるヘッドと、を有する液滴吐出装置であって、
前記駆動信号が、前記ノズル内のメニスカスをノズルから液滴を吐出させない程度に微振動させるための駆動パルスとして、矩形波からなる微振動パルスであって、パルス幅が（２ｎ）ＡＬ（ＡＬはチャネルの音響的共振周期の１／２、ｎは１以上の整数）の矩形波を少なくとも１つ含む微振動パルスを含むことを特徴とする液滴吐出装置。
【請求項２】
前記微振動パルスは、パルス幅が２ＡＬの矩形波を含むことを特徴とする請求項１記載の液滴吐出装置。
【請求項３】
前記微振動パルスは、パルス幅が１ＡＬと２ＡＬの矩形波を含むことを特徴とする請求項１記載の液滴吐出装置。
【請求項４】
前記微振動パルスは、液滴を吐出する吐出パルスに先立って印加されることを特徴とする請求項１、２又は３記載の液滴吐出装置。
【請求項５】
前記（２ｎ）ＡＬの矩形波は、前記微振動パルスの少なくとも最後に印加されることを特徴とする請求項１〜４のいずれかに記載の液滴吐出装置。
【請求項６】
前記最後に印加される（２ｎ）ＡＬの矩形波の１ＡＬ後に、吐出パルスを印加することを特徴とする請求項５記載の液滴吐出装置。
【請求項７】
前記液滴を吐出させる吐出パルスは、チャネルの容積を膨張させ１ＡＬ後に元に戻す矩形波からなる第１のパルスと、チャネルの容積を収縮させ一定時間後に元に戻す矩形波からなる第２のパルスとを含み、第１のパルスの電圧Ｖonが第２のパルスの電圧Ｖoffよりも大きいことを特徴とする請求項１〜６のいずれかに記載の液滴吐出装置。
【請求項８】
前記微振動パルスは、チャネルの容積を収縮させた後に元に戻す矩形波からなり、前記吐出パルスの第２のパルスの電圧Ｖoffと同電圧であることを特徴とする請求項７記載の液滴吐出装置。
【請求項９】
前記微振動パルスによるメニスカスの最大押し出し量が、ノズル半径以下であることを特徴とする請求項１〜８のいずれかに記載の液滴吐出装置。
【請求項１０】
前記ヘッドは、前記吐出パルス又は前記微振動パルスの印加により前記チャネルの容積を変化させる電気・機械変換手段を有することを特徴とする請求項１〜９のいずれかに記載の液滴吐出装置。
【請求項１１】
前記電気・機械変換手段は、隣接するチャネル間の隔壁を形成し、且つ電圧を印加することによりせん断モードで変形する圧電材料により構成されることを特徴とする請求項１０記載の液滴吐出装置。
【請求項１２】
前記液滴はインクであることを特徴とする請求項１〜１１のいずれかに記載の液滴吐出装置。
【請求項１３】
複数の駆動パルスを含んでなる駆動信号を駆動信号生成手段により発生させ、
駆動パルス選択手段により各画素のデータに応じて駆動パルスを選択し、
選択された駆動パルスに基づいて液滴吐出ヘッドのチャネルの容積を変化させることにより前記チャネルに対応して設けられたノズルから液滴を吐出させる液滴吐出ヘッドの駆動方法であって、
前記駆動信号が、前記ノズル内のメニスカスをノズルから液滴を吐出させない程度に微振動させるための駆動パルスとして、矩形波からなる微振動パルスであって、パルス幅が（２ｎ）ＡＬ（ＡＬはチャネルの音響的共振周期の１／２、ｎは１以上の整数）の矩形波を少なくとも１つ含む微振動パルスを含み、前記液滴吐出ヘッドに対して、前記微振動パルスを印加することにより、前記ノズル内のメニスカスをノズルから液滴を吐出させない程度に微振動させることを特徴とする液滴吐出ヘッドの駆動方法。
【請求項１４】
前記微振動パルスは、パルス幅が２ＡＬの矩形波を含むことを特徴とする請求項１３記載の液滴吐出ヘッドの駆動方法。
【請求項１５】
前記微振動パルスは、パルス幅が１ＡＬと２ＡＬの矩形波を含むことを特徴とする請求項１３記載の液滴吐出ヘッドの駆動方法。
【請求項１６】
前記微振動パルスは、液滴を吐出する吐出パルスに先立って印加されることを特徴とする請求項１３、１４又は１５記載の液滴吐出ヘッドの駆動方法。
【請求項１７】
前記（２ｎ）ＡＬの矩形波は、前記微振動パルスの少なくとも最後に印加されることを特徴とする請求項１３〜１６のいずれかに記載の液滴吐出ヘッドの駆動方法。
【請求項１８】
前記最後に印加される（２ｎ）ＡＬの矩形波の１ＡＬ後に、吐出パルスを印加することを特徴とする請求項１７記載の液滴吐出ヘッドの駆動方法。
【請求項１９】
前記液滴を吐出させる吐出パルスは、チャネルの容積を膨張させ１ＡＬ後に元に戻す矩形波からなる第１のパルスと、チャネルの容積を収縮させ一定時間後に元に戻す矩形波からなる第２のパルスとを含み、第１のパルスの電圧Ｖonが第２のパルスの電圧Ｖoffよりも大きいことを特徴とする請求項１３〜１８のいずれかに記載の液滴吐出ヘッドの駆動方法。
【請求項２０】
前記微振動パルスは、チャネルの容積を収縮させた後に元に戻す矩形波からなり、前記吐出パルスの第２のパルスの電圧Ｖoffと同電圧であることを特徴とする請求項１９記載の液滴吐出ヘッドの駆動方法。
【請求項２１】
前記微振動パルスによるメニスカスの最大押し出し量が、ノズル半径以下であることを特徴とする請求項１３〜２０のいずれかに記載の液滴吐出ヘッドの駆動方法。
【請求項２２】
前記液滴吐出ヘッドは、前記吐出パルス又は前記微振動パルスの印加により前記チャネルの容積を変化させる電気・機械変換手段を有することを特徴とする請求項１３〜２１のいずれかに記載の液滴吐出ヘッドの駆動方法。
【請求項２３】
前記電気・機械変換手段は、隣接するチャネル間の隔壁を形成し、且つ電圧を印加することによりせん断モードで変形する圧電材料により構成されることを特徴とする請求項２２記載の液滴吐出ヘッドの駆動方法。
【請求項２４】
前記液滴はインクであることを特徴とする請求項１３〜２３のいずれかに記載の液滴吐出ヘッドの駆動方法。
【発明の詳細な説明】
【技術分野】
【０００１】
本発明は液滴吐出装置及び液滴吐出ヘッドの駆動方法に関し、詳しくは、ノズル内のメニスカスをノズルから液滴を吐出させない程度に微振動させることにより、ノズル内の液体の増粘を抑制するようにした液滴吐出装置及び液滴吐出ヘッドの駆動方法に関する。
【背景技術】
【０００２】
チャネルの容積を変化させることによりノズルから液滴を吐出する液滴吐出ヘッドとして、インクジェット画像を記録するためのインクジェット記録ヘッドが知られている。
【０００３】
このインクジェット記録ヘッドに使用されるインクジェット用インクの粘度は、普通、室温で２〜５ｃｐ（センチポイズ）程度である。しかし、最近ではインクの高性能化に伴い、添加剤等が増えて室温の粘度が５〜１０ｃｐと高粘度となるインクも増えている。このような高粘度のインクは常温・常湿で吐出する限り、記録ヘッドの駆動電圧を少し高めにすれば吐出できるが、低温環境下においては粘度が上昇して１０ｃｐ以上になるため、また、低湿環境下においてはメニスカス表面からインク成分の揮発が速くなるため、ノズル表面のインク粘度が急激に上昇し、非常に吐出しにくくなる。
【０００４】
このように、低温・低湿環境下において増粘したインクを記録ヘッドから安定に吐出することは極めて難しい。例えば、ごく短時間吐出を中断するだけでも、吐出再開時に第１滴目から正常に吐出しなくなり、画質が著しく低下する。
【０００５】
従来から、ノズル表面のインク粘度の上昇を抑える対策の一つとして、ノズル内のメニスカスをノズル先端から吐出しない程度に微振動させることで、ノズル表面の増粘したインクをチャネル内のインクと攪拌する方法が知られており、特許文献１及び２には、印画を休止している状態のノズル先端に微振動を与えることにより、ノズル先端のインクを攪拌し、インク粘度を低下させることが記載されている。
【特許文献１】特開平１１−２６８２６４号公報
【特許文献２】特開２０００−９４６６９号公報
【発明の開示】
【発明が解決しようとする課題】
【０００６】
低温・低湿環境下では、先の理由によりインクの粘度上昇が極めて速いため、メニスカスに微振動を与えた後は直ちに吐出しなければならない。また、安定した吐出を行うためには、微振動によるメニスカスの振動が収まり、その位置が一定となった状態で吐出することが必要であり、そうでない場合には、吐出されるインク滴の大きさや飛翔速度が変動して着弾誤差の原因となる。更に、インクを効率良く攪拌・混合するためにはメニスカスを大きく振動させる必要があるが、高速駆動を行う際には、メニスカスの振動を早期に減衰させる必要がある。
【０００７】
このようにインクのメニスカスを効果的に揺らしたり、残留振動を効果的にキャンセルしたりする方法は、音響理論から次のように説明できる。
【０００８】
チャネルを膨張（または収縮）させることにより、チャネル内に発生した圧力波は、１ＡＬ毎に圧力の反転を繰り返しながら次第に減衰していく。チャネルを変形してから１ＡＬ後の、圧力が反転したタイミングでチャネルの変形を元に戻すと、元からある圧力と新しく発生した圧力が互いに強め合って、インクのメニスカスを大きく振動させる。なお、ＡＬ（Acoustic Length）とは、チャネルの音響的共振周期の１／２である。従って、チャネルを変形してから元に戻すまでの時間をＡＬの奇数倍にすれば、メニスカスを大きく振動させることができる。しかし、残留圧力がキャンセルされず、メニスカスの振動が残るので、すぐには吐出できない。
【０００９】
一方、チャネルを変形して２ＡＬ後の圧力が反転→再反転したタイミングでチャネルの変形を元に戻せば、元の圧力と新しく発生した圧力が互いにキャンセルし合うので、メニスカスは大きく振動しない。従って、チャネルを変形してから変形を元に戻すまでの時間をＡＬの偶数倍にすると、残留圧力がキャンセルされるのでメニスカスの振動が収まり、すぐに吐出できるようになるが、メニスカスを大きく振動させることはできない。
【００１０】
以上のことから理解されるように、粘度の高いインクを、低温・低湿環境下で高速且つ安定に吐出するには、メニスカスを大きく振動させてノズル表面のインクを効率良く攪拌することと、この振動によって発生した残留振動を効率良くキャンセルすること、という相反する問題を解決しなくてはならない。
【００１１】
上記特許文献１及び２の技術は、いずれも台形波による微振動パルスを、インク吐出を行わないノズルに印加してメニスカスに微振動を与えるようにしている。このため、メニスカスに微振動を与えた後は、インクを吐出するまでの間に時間があるため、その間に再びインク粘度が上昇してしまい、特に低温・低湿環境下において正常な吐出が困難となる問題がある。また、台形波は回路構成が複雑になる上に、電圧感度が低下するため、必要な駆動電圧が上昇して消費電力が大きくなる。更に、微振動パルスの印加回数を増やさなければ十分な効果が得られず、結果的に印刷速度の低下等につながる問題がある。
【００１２】
そこで、本発明の課題は、ノズル内の液体を効率良く攪拌することにより、低温・低湿環境下でもデキャップ特性の改善効果が高く、また、メニスカスの微振動直後でも液滴を安定に吐出させることのできる、高速且つ安定吐出を可能とする液滴吐出装置及び液滴吐出ヘッドの駆動方法を提供することにある。
【００１３】
ここで、デキャップ特性とは、ノズル面開放状態の場合にメニスカス乾燥によって液体が増粘する、いわゆるデキャップ現象による初発速度の低下量を示す。
【課題を解決するための手段】
【００１４】
上記課題は、以下の各発明によって解決される。
【００１５】
請求項１記載の発明は、複数の駆動パルスを含んでなる駆動信号を生成する駆動信号生成手段と、各画素のデータに応じて駆動パルスを選択する駆動パルス選択手段と、選択された駆動パルスに基づいてチャネルの容積を変化させることにより前記チャネルに対応して設けられたノズルから液滴を吐出させるヘッドと、を有する液滴吐出装置であって、前記駆動信号が、前記ノズル内のメニスカスをノズルから液滴を吐出させない程度に微振動させるための駆動パルスとして、矩形波からなる微振動パルスであって、パルス幅が（２ｎ）ＡＬ（ＡＬはチャネルの音響的共振周期の１／２、ｎは１以上の整数）の矩形波を少なくとも１つ含む微振動パルスを含むことを特徴とする液滴吐出装置である。
【００１６】
請求項２記載の発明は、前記微振動パルスは、パルス幅が２ＡＬの矩形波を含むことを特徴とする請求項１記載の液滴吐出装置である。
【００１７】
請求項３記載の発明は、前記微振動パルスは、パルス幅が１ＡＬと２ＡＬの矩形波を含むことを特徴とする請求項１記載の液滴吐出装置である。
【００１８】
請求項４記載の発明は、前記微振動パルスは、液滴を吐出する吐出パルスに先立って印加されることを特徴とする請求項１、２又は３記載の液滴吐出装置である。
【００１９】
請求項５記載の発明は、前記（２ｎ）ＡＬの矩形波は、前記微振動パルスの少なくとも最後に印加されることを特徴とする請求項１〜４のいずれかに記載の液滴吐出装置である。
【００２０】
請求項６記載の発明は、前記最後に印加される（２ｎ）ＡＬの矩形波の１ＡＬ後に、吐出パルスを印加することを特徴とする請求項５記載の液滴吐出装置である。
【００２１】
請求項７記載の発明は、前記液滴を吐出させる吐出パルスは、チャネルの容積を膨張させ１ＡＬ後に元に戻す矩形波からなる第１のパルスと、チャネルの容積を収縮させ一定時間後に元に戻す矩形波からなる第２のパルスとを含み、第１のパルスの電圧Ｖonが第２のパルスの電圧Ｖoffよりも大きいことを特徴とする請求項１〜６のいずれかに記載の液滴吐出装置である。
【００２２】
請求項８記載の発明は、前記微振動パルスは、チャネルの容積を収縮させた後に元に戻す矩形波からなり、前記吐出パルスの第２のパルスの電圧Ｖoffと同電圧であることを特徴とする請求項７記載の液滴吐出装置である。
【００２３】
請求項９記載の発明は、前記微振動パルスによるメニスカスの最大押し出し量が、ノズル半径以下であることを特徴とする請求項１〜８のいずれかに記載の液滴吐出装置である。
【００２４】
請求項１０記載の発明は、前記ヘッドは、前記吐出パルス又は前記微振動パルスの印加により前記チャネルの容積を変化させる電気・機械変換手段を有することを特徴とする請求項１〜９のいずれかに記載の液滴吐出装置である。
【００２５】
請求項１１記載の発明は、前記電気・機械変換手段は、隣接するチャネル間の隔壁を形成し、且つ電圧を印加することによりせん断モードで変形する圧電材料により構成されることを特徴とする請求項１０記載の液滴吐出装置である。
【００２６】
請求項１２記載の発明は、前記液滴はインクであることを特徴とする請求項１〜１１のいずれかに記載の液滴吐出装置である。
【００２７】
請求項１３記載の発明は、複数の駆動パルスを含んでなる駆動信号を駆動信号生成手段により発生させ、駆動パルス選択手段により各画素のデータに応じて駆動パルスを選択し、選択された駆動パルスに基づいて液滴吐出ヘッドのチャネルの容積を変化させることにより前記チャネルに対応して設けられたノズルから液滴を吐出させる液滴吐出ヘッドの駆動方法であって、前記駆動信号が、前記ノズル内のメニスカスをノズルから液滴を吐出させない程度に微振動させるための駆動パルスとして、矩形波からなる微振動パルスであって、パルス幅が（２ｎ）ＡＬ（ＡＬはチャネルの音響的共振周期の１／２、ｎは１以上の整数）の矩形波を少なくとも１つ含む微振動パルスを含み、前記液滴吐出ヘッドに対して、前記微振動パルスを印加することにより、前記ノズル内のメニスカスをノズルから液滴を吐出させない程度に微振動させることを特徴とする液滴吐出ヘッドの駆動方法である。
【００２８】
請求項１４記載の発明は、前記微振動パルスは、パルス幅が２ＡＬの矩形波を含むことを特徴とする請求項１３記載の液滴吐出ヘッドの駆動方法である。
【００２９】
請求項１５記載の発明は、前記微振動パルスは、パルス幅が１ＡＬと２ＡＬの矩形波を含むことを特徴とする請求項１３記載の液滴吐出ヘッドの駆動方法である。
【００３０】
請求項１６記載の発明は、前記微振動パルスは、液滴を吐出する吐出パルスに先立って印加されることを特徴とする請求項１３、１４又は１５記載の液滴吐出ヘッドの駆動方法である。
【００３１】
請求項１７記載の発明は、前記（２ｎ）ＡＬの矩形波は、前記微振動パルスの少なくとも最後に印加されることを特徴とする請求項１３〜１６のいずれかに記載の液滴吐出ヘッドの駆動方法である。
【００３２】
請求項１８記載の発明は、前記最後に印加される（２ｎ）ＡＬの矩形波の１ＡＬ後に、吐出パルスを印加することを特徴とする請求項１７記載の液滴吐出ヘッドの駆動方法である。
【００３３】
請求項１９記載の発明は、前記液滴を吐出させる吐出パルスは、チャネルの容積を膨張させ１ＡＬ後に元に戻す矩形波からなる第１のパルスと、チャネルの容積を収縮させ一定時間後に元に戻す矩形波からなる第２のパルスとを含み、第１のパルスの電圧Ｖonが第２のパルスの電圧Ｖoffよりも大きいことを特徴とする請求項１３〜１８のいずれかに記載の液滴吐出ヘッドの駆動方法である。
【００３４】
請求項２０記載の発明は、前記微振動パルスは、チャネルの容積を収縮させた後に元に戻す矩形波からなり、前記吐出パルスの第２のパルスの電圧Ｖoffと同電圧であることを特徴とする請求項１９記載の液滴吐出ヘッドの駆動方法である。
【００３５】
請求項２１記載の発明は、前記微振動パルスによるメニスカスの最大押し出し量が、ノズル半径以下であることを特徴とする請求項１３〜２０のいずれかに記載の液滴吐出ヘッドの駆動方法である。
【００３６】
請求項２２記載の発明は、前記液滴吐出ヘッドは、前記吐出パルス又は前記微振動パルスの印加により前記チャネルの容積を変化させる電気・機械変換手段を有することを特徴とする請求項１３〜２１のいずれかに記載の液滴吐出ヘッドの駆動方法である。
【００３７】
請求項２３記載の発明は、前記電気・機械変換手段は、隣接するチャネル間の隔壁を形成し、且つ電圧を印加することによりせん断モードで変形する圧電材料により構成されることを特徴とする請求項２２記載の液滴吐出ヘッドの駆動方法である。
【００３８】
請求項２４記載の発明は、前記液滴はインクであることを特徴とする請求項１３〜２３のいずれかに記載の液滴吐出ヘッドの駆動方法である。
【発明の効果】
【００３９】
本発明によれば、メニスカスを大きく振動させてノズル表面の液体を効率良く攪拌することと、この振動によって発生した残留振動を効率良くキャンセルすることという相反する問題を解決し得て、ノズル内の液体を効率良く攪拌することができることにより、低温・低湿環境下でもデキャップ特性の改善効果が高く、また、メニスカスの微振動直後でも液滴を安定に吐出させることができ、高速且つ安定吐出を可能とする液滴吐出装置及び液滴吐出ヘッドの駆動方法を提供することができる。
【発明を実施するための最良の形態】
【００４０】
以下、本発明の実施の形態について図面を用いて詳細に説明する。
【００４１】
図１は、本発明に係る液滴吐出装置が適用されるインクジェット記録装置の概略構成を示す図である。インクジェット記録装置１において、記録媒体Ｐは、搬送機構３の搬送ローラ対３２に挟持され、更に、搬送モータ３３によって回転駆動される搬送ローラ３１により図示Ｙ方向に搬送されるようになっている。
【００４２】
搬送ローラ３１と搬送ローラ対３２の間には、記録媒体Ｐの記録面ＰＳと対向するように記録ヘッド２が設けられている。この記録ヘッド２は、記録媒体Ｐの幅方向に亘って掛け渡されたガイドレール４に沿って、不図示の駆動手段によって、上記記録媒体Ｐの搬送方向（副走査方向）と略直交する図示Ｘ−Ｘ’方向（主走査方向）に沿って往復移動可能に設けられたキャリッジ５に、ノズル面側が記録媒体Ｐの記録面ＰＳと対向するように配置されて搭載されており、フレキシケーブル６を介して、後述する吐出パルスや微振動パルスを生成するための回路が設けられる駆動信号発生部１００（図３参照）に電気的に接続されている。
【００４３】
かかる記録ヘッド２は、キャリッジ５の移動に伴って記録媒体Ｐの記録面ＰＳを図示Ｘ−Ｘ’方向に移動し、この移動過程でインク滴を吐出することによって所望のインクジェット画像を記録するようになっている。
【００４４】
なお、図中、７はインク受け器であり、記録ヘッド２が非記録時のホームポジション等の待機位置に設けられている。記録ヘッド２がこの待機位置にある時、ノズル開口で増粘したインクを微振動させて減粘した後、このインク受け器７に向けてインク滴を少量はき捨てるようにする。記録ヘッド２がこの待機位置において長期間作動停止している時は、図示しないが、記録ヘッド２のノズル面にキャップを被せることにより保護するようになっている。また、８は記録媒体Ｐを挟んで上記インク受け器７の反対位置に設けられたインク受け器であり、往復両方向で記録するとき、往動から復動に切り替えるときに、上記同様にはき捨てられたインク滴を受け入れる。
【００４５】
図２、図３は、記録ヘッド２の一例を示す図であり、図２（ａ）は概観斜視図、（ｂ）は断面図、図３はインク吐出時の作動を示す図である。同図において、２１はインクチューブ、２２はノズル形成部材、２３はノズル、２４はカバープレート、２５はインク供給口、２６は基板、２７は隔壁である。そして、チャネル２８が隔壁２７、カバープレート２４及び基板２６によって形成されている。
【００４６】
記録ヘッド２は、ここでは図３に示すように、カバープレート２４と基板２６の間に、電気・機械変換手段であるＰＺＴ等の圧電材料からなる複数の隔壁２７Ａ、２７Ｂ、２７Ｃで隔てられたチャネル２８が多数並設されたせん断モード（シェアモード）タイプの記録ヘッドを示している。図３では多数のチャネル２８の一部である３本（２８Ａ、２８Ｂ、２８Ｃ）が示されている。チャネル２８の一端（以下、これをノズル端という場合がある）はノズル形成部材２２に形成されたノズル２３につながり、他端（以下、これをマニホールド端という場合がある）はインク供給口２５を経て、インクチューブ２１によって図示されていないインクタンクに接続されている。そして、各チャネル２８内の隔壁２７表面には両隔壁２７の上方から基板２６の底面に亘って繋がる電極２９Ａ、２９Ｂ、２９Ｃが密着形成され、各電極２９Ａ、２９Ｂ、２９Ｃは駆動信号発生部１００に接続している。
【００４７】
この駆動信号発生部１００は、複数の駆動パルスを含む一連の駆動信号を各画素周期毎に発生する駆動信号発生回路と、各チャネル毎に前記駆動信号発生回路から供給された駆動信号の中から各画素のデータに応じて駆動パルスを選択して各チャネルに供給する駆動パルス選択回路とからなり、各画素のデータに応じて電気・機械変換手段としての隔壁２７を駆動するための駆動パルスを供給する。この駆動パルスには、微振動パルスと吐出パルスとを含んでいる。ここで、駆動信号発生回路が、請求項の駆動信号生成手段に相当し、駆動パルス選択回路が、請求項の駆動パルス選択手段に相当する。
【００４８】
各隔壁２７は、ここでは図３の矢印で示すように分極方向が異なる２枚の圧電材料２７ａ、２７ｂによって構成されているが、圧電材料は例えば符号２７ａの部分のみであってもよく、隔壁２７の少なくとも一部にあればよい。
【００４９】
各隔壁２７表面に密着形成された電極２９Ａ、２９Ｂ、２９Ｃに駆動信号発生部１００の制御により吐出パルスが印加されると、以下に例示する動作によってインク滴をノズル２３から吐出する。なお、図３ではノズルは省略してある。
【００５０】
まず、電極２９Ａ、２９Ｂ、２９Ｃのいずれにも吐出パルスが印加されない時は、隔壁２７Ａ、２７Ｂ、２７Ｃのいずれも変形しないが、図３（ａ）に示す状態において、電極２９Ａ及び２９Ｃを接地すると共に電極２９Ｂに吐出パルスを印加すると、隔壁２７Ｂ、２７Ｃを構成する圧電材料の分極方向に直角な方向の電界が生じ、各隔壁２７Ｂ、２７Ｃ共に、それぞれ隔壁２７ａ、２７ｂの接合面にズリ変形を生じ、図３（ｂ）に示すように隔壁２７Ｂ、２７Ｃは互いに外側に向けて変形し、チャネル２８Ｂの容積を拡大してチャネル２８Ｂ内に負の圧力が生じてインクが流れ込む（Draw）。
【００５１】
また、この状態から電位を０に戻すと、隔壁２７Ｂ、２７Ｃは図３（ｂ）に示す膨張位置から図３（ａ）に示す中立位置に戻り、チャネル２８Ｂ内のインクに高い圧力が掛かる（Release）。次いで、図３（ｃ）に示すように、隔壁２７Ｂ、２７Ｃを互いに逆方向に変形するように吐出パルスを印加して、チャネル２８Ｂの容積を縮小すると、チャネル２８Ｂ内に正の圧力が生じる（Reinforce）。これによりチャネル２８Ｂを満たしているインクの一部によるノズル内のインクメニスカスがノズルから押し出される方向に変化する。この正の圧力がインク滴をノズルから吐出する程に大きくなると、インク滴はノズルから吐出する。他の各チャネルも吐出パルスの印加によって上記と同様に動作する。このような吐出法をＤＲＲ駆動法と呼び、シェアモードタイプの記録ヘッドの代表的な駆動法である。
【００５２】
このように少なくとも一部が圧電材料で構成された隔壁２７によって隔てられた複数のチャネル２８を有する記録ヘッド２を駆動する場合、一つのチャネルの隔壁が吐出の動作をすると、隣のチャネルが影響を受けるため、通常、複数のチャネル２８のうち、互いに１本以上のチャネル２８を挟んで離れているチャネル２８をまとめて１つの組となすようにして、２つ以上の組に分割し、各組毎にインク吐出動作を時分割で順次行うように駆動制御される。例えば、全チャネル２８を駆動してベタ画像を出力する場合には、チャネル２８を２チャネルおきに選んで３相に分けて吐出する、いわゆる３サイクル吐出法が行われる。
【００５３】
かかる３サイクル吐出動作について図４を用いて更に説明する。図４に示す例では、記録ヘッドはチャネルがＡ１、Ｂ１、Ｃ１、Ａ２、Ｂ２、Ｃ２、Ａ３、Ｂ３、Ｃ３の９つのチャネル２８で構成されているとして説明する。また、このときのＡ、Ｂ、Ｃの各組のチャネル２８に印加されるパルス波形のタイミングチャートを図５に示す。
【００５４】
インク吐出時には、まずＡ組（Ａ１、Ａ２、Ａ３）の各チャネルの電極に電圧を掛け、その両隣のチャネルの電極を接地する。例えばＡ組のチャネルに１ＡＬ幅の正電圧の吐出パルスを掛けると、吐出したいＡ組のチャネルの隔壁が外側に変形し、そのチャネル２８内に負圧が発生する。この負圧により、インクタンクからＡ組のチャネル２８にインクが流れ込む（Draw）。
【００５５】
この状態を１ＡＬ間保つと、圧力が正圧に反転するので、このタイミングで電極を接地すると、隔壁の変形が元に戻り、高い圧力がＡ組のチャネル２８内のインクに掛かる（Release）。更に、同じタイミングでＡ組の各チャネルの電極に負電圧を掛けると、隔壁が内側に変形し、更に高い圧力がインクに掛かり（Reinforce）、ノズルからインク柱が押し出される。１ＡＬ後、圧力が反転してチャネル２８内が負圧になり、更に１ＡＬ経過すると、チャネル２８内の圧力が反転して正圧になるので、このタイミングで電極を接地すると、隔壁の変形が元に戻り、残留する圧力波をキャンセルできる。
【００５６】
続いてＢ組（Ｂ１、Ｂ２、Ｂ３）の各チャネル２８、更に続いてＣ組（Ｃ１、Ｃ２、Ｃ３）の各チャネル２８へと上記同様に動作する。
【００５７】
なお、ＡＬ（Acoustic Length）とは、上述したように、チャネルの音響的共振周期の１／２である。このＡＬは、電気・機械変換手段である隔壁２７に矩形波の電圧パルスを印加して吐出するインク滴の速度を測定し、矩形波の電圧値を一定にして矩形波のパルス幅を変化させたときに、インク滴の飛翔速度が最大になるパルス幅として求められる。また、パルスとは、一定電圧波高値の矩形波であり、０Ｖを０％、波高値電圧を１００％とした場合に、パルス幅とは、電圧の０Ｖからの立ち上がり１０％と波高値電圧からの立ち下がり１０％との間の時間として定義する。更に、ここで矩形波とは、電圧の１０％と９０％との間の立ち上がり時間、立ち下がり時間のいずれもがＡＬの１／２、好ましくは１／４以内であるような波形を指す。
【００５８】
かかるせん断モードタイプのインクジェット記録ヘッドでは、隔壁の変形は壁の両側に設けられる電極に掛かる電圧差で起こるので、インク吐出を行うチャネルの電極に負電圧を掛ける代わりに、図６に示すように、インク吐出を行うチャネルの電極を接地して、その両隣のチャネルの電極に正電圧を掛けるようにしても同様に動作させることができる。この後者の方法によれば、正電圧だけで駆動させることができるために好ましい態様である。
【００５９】
次に、図７及び図８を用いて、かかるシェアモードタイプの記録ヘッド２において、メニスカスに微振動を与える動作について説明する。ここでも上記同様に３サイクル吐出動作を行うものについて説明する。また、ここでは、駆動波形電圧に正電圧のみを使用し、Ａ組→Ｂ組→Ｃ組の順に吐出させるものとする。また、ここでは、駆動信号は微振動パルスと吐出パルス各１種の駆動パルスで構成されたものを例に説明する。
【００６０】
本発明において、ノズルからインク滴を吐出させない程度に微振動させる微振動パルスは、吐出パルスを印加する場合と同様、図３に示す駆動信号発生部１００において生成される。本発明における微振動パルスは矩形波からなり、パルス幅が（２ｎ）ＡＬ（ｎは１以上の整数）の矩形波を少なくとも１つ含むことを特徴としている。
【００６１】
本発明では微振動パルスに矩形波を用いることで、台形波を使用する方法に比べてメニスカスを微振動させる効率が良く、低い駆動電圧で振動させることができる上に、簡単なデジタル回路で駆動回路を設計できる効果がある。
【００６２】
例えば、図７に示す例では、画像記録領域内において、始めにＡ組のチャネルの電極を接地し、Ｂ組及びＣ組のチャネルの電極に１ＡＬ幅の正電圧の矩形波からなる微振動パルスと２ＡＬ幅の正電圧の矩形波からなる微振動パルスを１ＡＬ間隔をおいて印加している。これによりＡ組のチャネルのノズル内のメニスカスは、ノズルからインク滴を吐出させない程度に押し出させるように微振動が与えられ、Ｂ組及びＣ組の各チャネルは片側の隔壁のみが変位して、Ａ組のチャネルの半分の強度の微振動が与えられる。
【００６３】
続いて、Ａ組のチャネルに１ＡＬ幅の正電圧の吐出パルスを与え、引き続き２ＡＬ幅の正電圧の吐出パルスをＢ組及びＣ組のチャネルにそれぞれ与えると、上述したＤＲＲ駆動法によりＡ組のチャネルからインクが吐出され、画素が記録される。マルチドロップ吐出を行う場合には、吐出したい液滴数分だけこの２種類のパルスを繰り返す。
【００６４】
Ａ組のチャネルからの吐出が終了し、続いてＢ組のチャネルから吐出させる場合も同様に、Ｂ組のチャネルの電極を接地してからＡ組及びＣ組のチャネルの電極にそれぞれ１ＡＬ幅の正電圧の微振動パルスと２ＡＬ幅の正電圧の微振動パルスを１ＡＬ間隔をおいて印加し、メニスカスを微振動させる。その後、Ｂ組のチャネルの電極に１ＡＬ幅の正電圧の吐出パルスを与え、引き続き２ＡＬ幅の正電圧の吐出パルスをＡ組及びＣ組のチャネルの電極に与えることでＢ組のチャネルからの吐出が行われ、画素が記録される。Ｃ組のチャネルの微振動パルスの印加及び吐出も同様に行われる。
【００６５】
次に、Ａ組、Ｂ組、Ｃ組のチャネルがいずれも吐出を行わず、Ａ組→Ｂ組→Ｃ組の順にメニスカスに微振動を与える場合について、図８を用いて説明する。
【００６６】
図７と同様、始めにＡ組のチャネルの電極は接地し、Ｂ組及びＣ組のチャネルの電極に１ＡＬ幅の正電圧の微振動パルスと２ＡＬ幅の正電圧の微振動パルスを１ＡＬ間隔をおいて印加することで、Ａ組のチャネルのノズル内のメニスカスに微振動が与えられる。続いて、Ａ組、Ｂ組、Ｃ組いずれのチャネルにも２ＡＬ幅の正電圧のパルスを与えると、隔壁は変位しないためインク吐出も行われない。
【００６７】
続いて、各画素内における駆動パルスの選択方法について、図９を用いて説明する。図９のＯＮ波形およびＯＦＦ波形は、駆動信号発生回路が生成する２種類の駆動信号を示す。この駆動信号は、微振動パルス(1)と吐出パルス(2)、(3)との３種の駆動パルスで構成されており、２ドロップのマルチドロップ吐出の選択が可能な駆動信号の例である。ＯＮ波形およびＯＦＦ波形は、各チャネルの駆動パルス選択回路にそれぞれ供給されており、各チャネルの印字データに応じたパルス選択ゲート信号の制御により、各チャネルの電極へ選択的に供給される。駆動パルス選択回路は、パルス選択ゲート信号がＨｉｇｈのときにはＯＮ波形を電極に供給し、パルス選択ゲート信号がＬｏｗのときにはＯＦＦ波形を電極に供給する。図９は、Ａ組、Ｂ組、Ｃ組の各チャネル駆動の１周期分を表記しているが、以降は、Ａ組チャネル駆動のタイミングを例として説明する。
【００６８】
微振動パルスの印加前の期間および微振動パルスの印加後から吐出パルスの印加前までの期間、吐出パルス印加後の期間には、それぞれパルス分割信号が印加される。画素の印字データが与えられると、それに応じてパルス分割信号に同期したパルス選択ゲート信号がＯＮとなる。Ａ組チャネルに対応するパルス選択ゲート信号がＯＮである期間（図９の(1)〜(2)）は、Ａ組チャネルの電極には駆動波形のＯＮ波形が印加され、このとき、Ｂ組およびＣ組チャネルに対応するパルス選択ゲート信号はＯＦＦであるから、Ｂ組およびＣ組のチャネルの電極にはＯＦＦ波形が印加されて、Ａ組チャネルの両側の隔壁が変位する。また、図９の(3)の期間は、Ａ組、Ｂ組、Ｃ組のパルス選択ゲート信号がいずれもＯＦＦであるため、Ａ組、Ｂ組、Ｃ組のチャネルの電極にはＯＦＦ波形が印加されて、いずれの隔壁も変位しない。
【００６９】
Ｂ組、Ｃ組チャネル駆動のタイミングも同様に動作する。
【００７０】
このように、印字画素（図７の場合）にも非印字画素（図８の場合）にも常に、微振動パルスを印加していることで、ノズル開口付近のインクの増粘を効果的に抑制することができる。
【００７１】
特に、図７に示したように、画像記録領域内の全ての印字画素に、吐出パルスに先立って微振動パルスが印加されるようにすれば、印字を行う各画素の直前に常にメニスカスに微振動が与えられるため、常に安定したインク吐出により高画質の記録を行うことができ、しかも、連続吐出中においては、先に吐出した際の残留圧力を微振動パルスの印加によりキャンセルすることができるため、より高品質の画像記録が可能となる。
【００７２】
なお、吐出パルスに先立ってとは、微振動させた後のインク滴の吐出において、デキャップ特性の改善に効果が見られる範囲の時間を指す。
【００７３】
このように画像記録領域内の全ての印字画素に微振動パルスが印加される場合、ノズル先端からインク滴を吐出させない程度に微振動させるメニスカスの最大押し出し量は、ノズル半径以下であることが好ましい。メニスカス微振動による押し出し量が大きいと、直後のインク吐出のタイミングまでにメニスカスが戻りきれず、安定な吐出が困難となるが、この場合のメニスカスの押し出し量をノズル半径以下に抑制することで、メニスカス微振動直後でも安定した吐出が可能となる。
【００７４】
なお、最大押し出し量とは、１回のメニスカス押し出し動作におけるノズル先端からのメニスカスの押し出し量の最大値である。ノズル２３からのメニスカスの押し出し量は、例えば、ＫＥＹＥＮＣＥ社製デジタルマイクロスコープ「ＶＨ−６３００」を用いてストロボ同期により測定することができる。押し出し量は、図１２に示すように、メニスカスＭのノズル２３の略中央部におけるノズル先端からの突出量を、ノズル形成部材２２と略垂直方向に測定した値である。
【００７５】
また、ノズル２３の開口形状は真円に限らず楕円形状等様々であるが、ここでノズル半径とは、ノズル２３のインクの先端（ノズル形成部材２２の表面）側の最長径の１／２のことである。
【００７６】
本発明において、偶数ＡＬ幅、即ちパルス幅が（２ｎ）ＡＬの矩形波は微振動パルス中に少なくとも１つ含まれればよいが、図７及び図８に示したように、パルス幅（２ｎ）ＡＬの矩形波が一連の微振動パルス中の最後に少なくとも含まれるようにすると、微振動パルスによる残留圧力波をキャンセルする効果があるために、メニスカスを微振動させた直後に吐出を行うような高周波駆動を行う場合に好ましい。
【００７７】
また、ここでは奇数ＡＬ幅の微振動パルスでメニスカスを大きく微振動させた１ＡＬ後に、偶数ＡＬ幅の微振動パルスで再度微振動させ、残留する圧力波をキャンセルしてから吐出するので、デキャップ特性の改善効果が大きく、且つ安定した吐出が可能である。
【００７８】
なお、微振動パルスの最後にパルス幅（２ｎ）ＡＬの矩形波が印加される場合は、図７に示すように、その１ＡＬ後に吐出パルスを印加することが好ましい。その理由は、微振動パルスによる残留圧力波のキャンセルは必ずしも完全ではないため、微振動パルスの１ＡＬ後に吐出パルスを印加すると、残留した圧力波と吐出パルスによる圧力波とが逆位相となり、残留圧力波の吐出パルスへの影響を最小にすることができるためである。
【００７９】
以上の例では、ｎ＝１として、パルス幅が２ＡＬの微振動パルスを１つ含むようにしているが、ｎは２以上の整数でもよい。図７〜図９では、微振動パルスがパルス幅１ＡＬと２ＡＬの矩形波を含むものとしているが、この場合は短時間にメニスカスを効率良く微振動させることができるために、特にデキャップ現象の激しい系で、メニスカス微振動直後にインク吐出を行うような高周波駆動時において、画像記録速度をあまり低下させることなく全ての画素でメニスカスを微振動させることができるために好ましい態様である。また、微振動パルスがパルス幅２ＡＬの矩形波のみを含むものは、最短の周期で全ての画素毎にメニスカスを微振動させることができるので、特に高速描画を達成する場合に好ましい態様である。
【００８０】
なお、微振動パルス中にパルス幅が（２ｎ）ＡＬの矩形波が２つ以上含まれる場合、それぞれでｎが異なっていてもよく、また、微振動パルスが、パルス幅が（２ｎ）ＡＬの矩形波を少なくとも１つ含む２以上の複数の微振動パルスを有している場合、先の矩形波と後の矩形波との間隔はＡＬの整数倍とすると、メニスカスを効率的に微振動させることができるために好ましい。
【００８１】
図５、図６、図７及び図９に示す例では、吐出パルスは、チャネルの容積を膨張させ１ＡＬ後に元に戻す矩形波からなる第１のパルスに引き続いてチャネルの容積を収縮させ２ＡＬ後に元に戻す矩形波からなる第２のパルスとからなり、第１のパルスの電圧Ｖonが第２のパルスの電圧Ｖoffよりも大きい。特に、この第１のパルスの電圧Ｖonと第２のパルスの電圧Ｖoffとの電圧比は、Ｖon／Ｖoff＝２／１付近が好ましい。ＶonをＶoffよりも大きく設定することは、特に吐出する液体の粘度が高い場合においてチャネル内へのインクの供給を促進する効果があり好ましい態様である。微振動パルスは、チャネルの容積を収縮させた後に元に戻す矩形波のみからなり、前記吐出パルスの第２のパルスの電圧Ｖoffと同電圧に設定している。これは、吐出パルス及び微振動パルスを発生するための駆動信号発生部１００における電源電圧数を少なくして回路コストを下げることができるために好ましい態様である。また、微振動パルスの電圧を電圧の低いＶoff電圧に設定することで、微振動が強く掛かりすぎることがなく、インク滴をノズルから吐出させない程度の微振動を効率良く掛けることができる。なお、吐出パルスとしては、本実施形態において用いたものに限らず、チャネルの容積を膨張させ一定時間後にチャネルの容積を元に戻すか、収縮させることにより液滴を吐出させるパルスを含む駆動パルスであればよい。
【００８２】
本発明における電気・機械変換手段は、以上説明したように、隣接するチャネル間の隔壁を形成し、且つ電界を印加することによりせん断モードで変形する圧電材料により構成されるものに限らず、記録ヘッドにチャネルの容積を変化させる機能を与えるものであればどのような構成であってもよいが、本実施形態において示したように、せん断モードで変形する圧電材料により構成される場合には、上記した矩形波をより効果的に利用することができ、駆動電圧を低下させ、より効率的な駆動が可能となるために好ましい。
【００８３】
また、以上の説明では、液滴吐出装置としてインクジェット記録装置の適用例を示し、また、液滴吐出ヘッドとしてインクジェット記録ヘッドの適用例を示したが、本発明は、これに限定されるものではなく、増粘し易いチャネル内の液体を液滴としてノズルから吐出させる液滴吐出装置及び液滴吐出ヘッドの駆動方法として広く適用可能である。
【実施例】
【００８４】
（出射安定性の評価１）
図２に示すシェアモードタイプの記録ヘッド（ノズル数：２５６、ノズル径２３μｍ）の各チャネルを図４に示したように３群に分け、図１０（ａ）〜（ｆ）に示す微振動パルス及び吐出パルスを用いて、以下の条件で３サイクル駆動を行った。このときの出射安定性及びデキャップ特性改善効果を下記の方法で測定した結果を表１に示す。
【００８５】
条件
ヘッド：ＡＬ＝２．０μｓ
インク：水性インク
（粘度５．５ｍＰａ・ｓ、表面張力４１ｍＮ／ｍ  ａｔ２５℃）
駆動電圧比：Ｖon／Ｖoff＝２／１
駆動周期：３３μｓ
【００８６】
出射安定性の測定方法
それぞれの微振動パルス印加条件において、電位差Ｖon、Ｖoffを変化させることによりインク滴の飛翔速度を上げていき、飛翔状態を観察した。吐出方向の曲がりやサテライトの飛散などが起こらない飛翔速度の上限を安定出射速度上限と定めた。
【００８７】
出射安定性の評価基準
○：８ｍ／ｓ≦安定出射速度上限
△：６ｍ／ｓ≦安定出射速度上限＜８ｍ／ｓ
×：安定出射速度上限＜６ｍ／ｓ
【００８８】
デキャップ特性の測定方法
それぞれの微振動パルス印加条件において、定常駆動時のインク滴の飛翔速度が６ｍ／ｓとなる電圧に駆動電圧を固定（Ｖon／Ｖoff＝２／１）し、吐出間隔を広げながらインクを吐出した時の初発速度の変化を測定した。そのときの速度変化が小さい程、大きな改善効果ありと認められる。
【００８９】
【表１】
2004262237.tif 000003
【００９０】
表１に示す通り、パルス幅がＡＬの奇数倍である矩形波のみからなる微振動パルスを印加した場合には、出射安定性が十分ではないが、パルス幅がＡＬの偶数倍である矩形波を含む微振動パルスを印加した場合には、メニスカスを微振動させた直後でも安定した吐出が可能となる。
【００９１】
（デキャップ特性の評価）
出射安定性の評価１の場合と同様のシェアモードタイプの記録ヘッドの各チャネルを３群に分け、図１０に示す微振動パルス及び吐出パルスを用いて、以下の条件で３サイクル駆動を行い、低温・低湿環境におけるデキャップ特性の改善効果と駆動電圧について評価した。
【００９２】
デキャップ特性は任意の１ノズルについて、下記の方法を用いて測定した。その結果を図１１及び表２に示す。
【００９３】
条件
ヘッド：ＡＬ＝２．０μｓ
インク：水性顔料インク
（粘度１１ｍＰａ・ｓ、表面張力３４ｍＮ／ｍ  ａｔ１１℃）
駆動電圧比：Ｖon／Ｖoff＝２／１
駆動周期：３３μｓ
環境：１１℃、３５％ＲＨ
【００９４】
デキャップ特性の測定方法
非印字画素及び印字画素に微振動パルスを印加しない条件と、全ての画素に図１０（ｃ）及び同図（ｆ）の微振動パルスを印加した条件について、駆動電圧を変化させながら２０発目の飛翔速度を測定した（Ｖon／Ｖoff＝２／１に固定）。飛翔速度が６ｍ／ｓになるときの駆動電圧（Ｖon）を表２に示す。
【００９５】
この定常駆動時の飛翔速度が６ｍ／ｓとなる電圧に駆動電圧を固定し、吐出間隔を広げながらインクを吐出した時の初発速度の変化を測定した。そのときの速度変化が小さい程、大きな改善効果ありと認められる。
【００９６】
【表２】
2004262237.tif 000004
【００９７】
表２の実施例３、実施例４に示す通り、吐出前に微振動パルスを印加すると、低温・低湿環境のデキャップ現象の防止に有効であることが確認された。全ての画素に微振動パルスを印加するため、画像記録領域内端部のみ吐出等のパターンでも、安定した液滴形成が可能となる。また、吐出前のメニスカスを微振動させることで、駆動効率向上（駆動電圧低下）の効果も得られる。
【００９８】
（出射安定性の評価２）
出射安定性の評価１の場合と同様のシェアモードタイプの記録ヘッドの各チャネルを３群に分け、図１０（ｆ）中の微振動パルスのみを印加したときのノズルからのインクメニスカス押し出し量を、測定器：KEYENCE社製デジタルマイクロスコープを用いて測定した。
【００９９】
この結果と、同図に示す微振動パルスと吐出パルスを用いて下記の方法で出射安定性及びデキャップ特性改善効果を測定した結果を表３に示す。
【０１００】
条件
ヘッド：ＡＬ＝２．０μｓ
インク：水性インク
（粘度５．５ｍＰａ・ｓ、表面張力４１ｍＮ／ｍ  ａｔ２５℃）
駆動電圧：Ｖon＝１７．８Ｖ、Ｖoff＝８．９Ｖ
駆動周期：３３μｓ
【０１０１】
出射安定性の測定方法
吐出駆動電圧を固定したインク滴の飛翔速度一定（６ｍ／ｓ）の条件で、微振動パルス電圧のみを変化させたときの飛翔状態を観察した。
【０１０２】
出射安定性の評価基準
○：吐出曲がり・ミスファイアなし、メニスカス安定
△：一部、吐出曲がり・ミスファイア発生
×：吐出曲がり・ミスファイア発生、メニスカス不安定
【０１０３】
デキャップ特性の測定方法
それぞれの微振動パルス印加条件において、定常駆動時のインク滴の飛翔速度が６ｍ／ｓとなる電圧に吐出駆動電圧を固定し、微振動パルス電圧のみを変化させた条件で、吐出間隔を広げながらインクを吐出した時の初発速度の変化を測定した。そのときの速度変化が小さい程、大きな改善効果ありと認められる。
【０１０４】
【表３】
2004262237.tif 000005
【０１０５】
表３の実施例５、実施例６に示す通り、微振動パルスによるメニスカス押し出し量がノズル半径（１１．５μｍ）以下であれば、微振動パルス印加直後でも出射安定性が良好であることがわかる。従って、高周波駆動時においても常にメニスカスに微振動を与えることが可能となる。
【０１０６】
なお、比較例７、比較例８は、いずれもメニスカス押し出し量がノズル半径より大きくなっている。微振動波形のみを印加する場合には、メニスカスの最大押し出し量がノズル半径の３倍程度までなってもミスファイア（誤吐出）を生じないが、微振動波形の前後に吐出波形を印加する場合においては、メニスカスの最大押し出し量がノズル半径を越える（微振動波形のみの印加状態での測定値）ようになるとミスファイアを発生し易くなる。このため、比較例７では記録ヘッドの全ノズルのうち部分的に、比較例８では全体的にミスファイアが発生した。
【図面の簡単な説明】
【０１０７】
【図１】インクジェット記録装置の概略構成を示す図
【図２】（ａ）は記録ヘッドの一例を示す概観斜視図、（ｂ）は断面図
【図３】（ａ）〜（ｃ）は記録ヘッドのインク吐出時の作動を示す図
【図４】（ａ）〜（ｃ）は記録ヘッドの時分割動作の説明図
【図５】Ａ、Ｂ、Ｃの各組のチャネルに印加されるパルス波形のタイミングチャート
【図６】正電圧のみを用いた場合のパルス波形のタイミングチャート
【図７】全ての印字画素に対するメニスカス微振動時のＡ、Ｂ、Ｃの各組のチャネルに印加されるパルス波形のタイミングチャート
【図８】非印字画素に対するメニスカス微振動時のＡ、Ｂ、Ｃの各組のチャネルに印加されるパルス波形のタイミングチャート
【図９】微振動パルスおよび吐出パルスがＡ組、Ｂ組、Ｃ組のチャネルに選択的に印加される例を示すタイミングチャート
【図１０】（ａ）〜（ｆ）はそれぞれ微振動パルス及び吐出パルスのパルス波形を示す図
【図１１】デキャップ特性測定結果を示すグラフ
【図１２】ノズル先端からのメニスカスの押し出し量を説明する図
【符号の説明】
【０１０８】
１：インクジェット記録装置
２：記録ヘッド
２１：インクチューブ
２２：ノズル形成部材
２３：ノズル
２４：カバープレート
２５：インク供給口
２６：基板
２７：隔壁
２８：チャネル
３：搬送機構
３１：搬送ローラ
３２：搬送ローラ対
３３：搬送モータ
４：ガイドレール
５：キャリッジ
６：フレキシケーブル
７、８：インク受け器
１００：駆動信号発生部
Ｐ：記録媒体
ＰＳ：記録面
【図１】
2004262237.tif 000006
【図２】
2004262237.tif 000007
【図３】
2004262237.tif 000008
【図４】
2004262237.tif 000009
【図５】
2004262237.tif 000010
【図６】
2004262237.tif 000011
【図７】
2004262237.tif 000012
【図８】
2004262237.tif 000013
【図９】
2004262237.tif 000014
【図１０】
2004262237.tif 000015
【図１１】
2004262237.tif 000016
【図１２】
2004262237.tif 000017